(57)【要約】【解決課題】  強度と靭性と保冷性を備え、かつ、軽量で施工が容易な材料から構成される地上式ＬＮＧタンクであって、その二次バリア層に特徴を備えた地上式ＬＮＧタンクを提供する。【解決手段】  少なくとも内槽と外槽とを備え、上記内槽と上記外槽との間隙に断熱材を充填してなる地上式ＬＮＧタンクであって、上記内槽と上記外槽との間に、二次バリア層をさらに備え、上記二次バリア層が、樹脂系バリア材から構成され、上記二次バリア層の上端部は、上記外槽に設けたアンカー部と接着層を介して接合され、さらに上記接着層は、上記二次バリア層の内側から挟扼用金属板を介してボルトにより挟扼されていることを特徴とする地上式ＬＮＧタンク。【選択図】    図５
2007100772.tif 000002
【特許請求の範囲】
【請求項１】
少なくとも内槽と外槽とを備え、該内槽と該外槽との間隙に断熱材を充填してなる地上式ＬＮＧタンクであって、
前記内槽と前記外槽との間に、二次バリア層をさらに備え、該二次バリア層が、樹脂系バリア材から構成され、
前記二次バリア層の上端部は、前記外槽に設けたアンカー部と接着層を介して接合され、さらに
該接着層は、前記二次バリア層の内側から挟扼用金属板を介してボルトにより挟扼されていることを特徴とする地上式ＬＮＧタンク。
【請求項２】
前記アンカー部が、水平部と垂直部とから成る吊りアンカーで構成され、前記垂直部の内周に沿って前記二次バリア層の前記側板パネルの上端部が位置するようにして成ることを特徴とする請求項１に記載の地上式ＬＮＧタンク。
【請求項３】
少なくとも内槽と外槽とを備え、該内槽と該外槽との間隙に断熱材を充填してなる地上式ＬＮＧタンクであって、
前記内槽と前記外槽との間に、二次バリア層をさらに備え、該二次バリア層が、樹脂系バリア材から構成され、
前記二次バリア層が、少なくとも底板パネルと側板パネルとコーナーパネルとで構成される隅角部を備え、
該隅角部で、前記コーナーパネルの下端下面および前記底板パネルの上面、並びに、前記コーナーパネルの上端外面および前記側板パネルの内面は、接着層を介して接合され、さらに
該接着層は、前記コーナーパネルの下端上面及び前記底板パネルの下面、並びに、前記コーナーパネルの上端内面及び前記側板パネルの外面から、それぞれ挟扼用金属板を介してボルトにより挟扼されていることを特徴とする地上式ＬＮＧタンク。
【請求項４】
少なくとも内槽と外槽とを備え、該内槽と該外槽との間隙に断熱材を充填してなる地上式ＬＮＧタンクであって、
前記内槽と前記外槽との間に、二次バリア層をさらに備え、該二次バリア層が、樹脂系バリア材から構成され、
前記二次バリア層の上端部は、前記外槽に設けたアンカー部と接着層を介して接合され、さらに
該接着層は、前記二次バリア層の内側から挟扼用金属板を介してボルトにより挟扼され、
前記二次バリア層が、少なくとも底板パネルと側板パネルとコーナーパネルとで構成される隅角部を備え、
該隅角部は、前記コーナーパネルの下端下面及び前記底板パネルの上面、並びに、前記コーナーパネルの上端外面及び前記側板パネルの内面は、接着層を介して接合され、さらに
前記コーナーパネルの下端上面及び前記底板パネルの下面、並びに、前記コーナーパネルの上端内面及び前記側板パネルの外面から、それぞれ挟扼用金属板を介してボルトにより挟扼されていることを特徴とする地上式ＬＮＧタンク。
【請求項５】
前記ボルトがステンレス製であることを特徴とする請求項１ないし４のいずれかに記載の地上式ＬＮＧタンク。
【請求項６】
前記接着層が低温用接着剤を用いて形成されたものであることを特徴とする請求項１ないし５のいずれかに記載の地上式ＬＮＧタンク。
【発明の詳細な説明】
【技術分野】
【０００１】
本発明は、地上式ＬＮＧタンクに関する。特には、本発明は、軽量、安価で施工が容易な地上式ＬＮＧタンクに関する。
【背景技術】
【０００２】
近年、地球環境問題から、クリーンなエネルギーとして天然ガスが注目され、その需要は益々高まる傾向にある。液化天然ガス（liquid natural gas：ＬＮＧ）は、メタンを主成分とする天然ガスを水分、硫黄化合物、二酸化炭素などの不純物を除去した後、超低温に冷却、液化したものである。ＬＮＧタンクは、液化天然ガスを−１６３℃以下に保持して貯蔵するための装置であって、地上式ＬＮＧタンクや地下式ＬＮＧタンクが知られている。
【０００３】
このうち、特に、主に日本国内向けの地上式のＬＮＧタンクにおいては、従来、内槽と外槽とから構成される二重殻式のＬＮＧタンクが一般に用いられ、ＬＮＧに接触する面が冷熱衝撃に耐えるように、内槽として、低温での優れた強度と靭性を有する９％Ｎｉ鋼の溶接構造が採用されてきた（非特許文献１参照）。９％Ｎｉ鋼は、線膨張係数が低く、ＬＮＧを液体状態に保持ことができる−１６３℃以下の低温においても脆性破壊を起こすことがない部材である。
【０００４】
また、海外では、内槽と外槽と二次バリア層とから構成される三重殻式のＬＮＧタンクが一般に用いられており、ＬＮＧの漏洩時の冷熱衝撃に耐えるように、二次バリア層として、９％Ｎｉ鋼の溶接構造が採用されてきた。
【０００５】
しかしながら充分な強度と靭性を有する９％Ｎｉ鋼は、その製造に特殊な熱処理技術を必要とするので、製造自体が困難であり、さらに高性能の９％Ｎｉ鋼が充分に供給される状況にはない。また、レアメタルであるＮｉを使用するため、９％Ｎｉ鋼は価格が高く、上記９％Ｎｉ鋼を母材および溶接材料として用いた場合、溶接施工において高度な技量を必要とする。
【０００６】
そこで、９％Ｎｉ鋼が有するような強度と靭性と保冷性とを備えつつ、軽量で施工が容易な材料から構成される地上式ＬＮＧタンクが要請されていた。
【非特許文献１】ＬＮＧ地上式貯槽指針、社団法人  日本ガス協会、平成１４年８月
【発明の開示】
【発明が解決しようとする課題】
【０００７】
本発明は、強度と靭性と保冷性を備え、かつ、軽量で施工が容易な材料から構成される地上式ＬＮＧタンクであって、その二次バリア層に特徴を備えた地上式ＬＮＧタンクを提供することを目的とする。
【課題を解決するための手段】
【０００８】
本発明は、上記課題を解決するためになされたものである。すなわち、本発明に係る地上式ＬＮＧタンクは、上記目的を達成するために、少なくとも内槽と外槽とを備え、上記内槽と上記外槽との間隙に断熱材を充填してなる地上式ＬＮＧタンクであって、上記内槽と上記外槽との間に、二次バリア層をさらに備え、上記二次バリア層が、樹脂系バリア材から構成され、上記二次バリア層の上端部は、上記外槽に設けたアンカー部と接着層を介して接合され、さらに上記接着層は、上記二次バリア層の内側から挟扼用金属板を介してボルトにより挟扼されていることを特徴とする。
【０００９】
本発明に係る地上式ＬＮＧタンクは、上記アンカー部が、水平部と垂直部とから成る吊りアンカーで構成され、上記垂直部の内周に沿って上記二次バリア層の上記側板パネルの上端部が位置するようにして成ることが好適である。
【００１０】
本発明に係る地上式ＬＮＧタンクは、別の形態で、少なくとも内槽と外槽とを備え、上記内槽と上記外槽との間隙に断熱材を充填してなる地上式ＬＮＧタンクであって、上記内槽と上記外槽との間に、二次バリア層をさらに備え、上記二次バリア層が、樹脂系バリア材から構成され、上記二次バリア層が、少なくとも底板パネルと側板パネルとコーナーパネルとで構成される隅角部を備え、上記コーナーパネルの下端下面および上記底板パネルの上面、並びに、上記コーナーパネルの上端外面および上記側板パネルの内面は、接着層を介して接合され、さらに上記接着層は、上記コーナーパネルの下端上面及び上記底板パネルの下面の両面、並びに、上記コーナーパネルの上端内面及び上記側板パネルの外面の両面から、それぞれ挟扼用金属板を介してボルトにより挟扼されていることを特徴とする。
【００１１】
さらに、本発明に係る地上式ＬＮＧタンクは、別の形態で、少なくとも内槽と外槽とを備え、上記内槽と上記外槽との間隙に断熱材を充填してなる地上式ＬＮＧタンクであって、上記内槽と上記外槽との間に、二次バリア層をさらに備え、上記二次バリア層が、樹脂系バリア材から構成され、上記二次バリア層の上端部を上記外槽に設けたアンカー部で支持し、上記二次バリア層が、少なくとも底板パネルと側板パネルとで構成される隅角部を備え、上記隅角部で、上記底板パネルと上記側板パネルとが接合部を有し、上記接合部で炭素鋼によって上記底板パネルと上記側板パネルとを接合してなることを特徴とする。
この形態では、上記ボルトがステンレス製であることが好ましい。また、この形態では、上記接着層が低温用接着剤を用いて形成されたものであることが好ましい。
【００１２】
さらに、本発明に係る地上式ＬＮＧタンクは、別の形態で、少なくとも内槽と外槽とを備え、上記内槽と上記外槽との間隙に断熱材を充填してなる地上式ＬＮＧタンクであって、上記内槽と上記外槽との間に、二次バリア層をさらに備え、上記二次バリア層が、樹脂系バリア材から構成され、上記二次バリア層の上端部は、上記外槽に設けたアンカー部と接着層を介して接合され、さらに上記接着層は、上記二次バリア層の内側から挟扼用金属板を介してボルトにより挟扼され、上記二次バリア層が、少なくとも底板パネルと側板パネルとコーナーパネルとで構成される隅角部を備え、上記隅角部は、上記コーナーパネルの下端下面及び上記底板パネルの上面、並びに、上記コーナーパネルの上端外面及び上記側板パネルの内面は、接着層を介して接合され、さらに上記コーナーパネルの下端上面及び上記底板パネルの下面、並びに、上記コーナーパネルの上端内面及び上記側板パネルの外面から、それぞれ挟扼用金属板を介してボルトにより挟扼されていることを特徴とする。
この形態では、上記ボルトがステンレス製であることが好ましい。また、この形態では、上記接着層が低温用接着剤を用いて形成されたものであることが好ましい。
【発明の効果】
【００１３】
本発明によれば、二次バリア層に、ガラス繊維強化プラスチック材を適用した樹脂系バリア材を用い、上記二次バリア層が、ＬＮＧ漏洩時の非常用バリアとして機能し、かつ、上記二次バリア層の側板パネルを支持するアンカー部の新規な特徴、および上記二次バリア層の隅角部の新規な特徴によって、ＬＮＧ漏洩時の冷熱収縮に対応でき、ＬＮＧ漏洩時における液圧保持強度、液密性に充分に優れた地上式ＬＮＧタンクが提供される。さらに、樹脂系バリア材は従来用いられてきた９％Ｎｉ鋼と比較して安価、軽量で、施工が容易であるので、コスト的に有利な地上式ＬＮＧタンクを得ることができる。
【発明を実施するための最良の形態】
【００１４】
以下に、本発明を、図面を参照して詳細に説明する。同じ部材には同じ符号を付して表した。なお、本発明は以下に説明する形態に制限されるものではない。
【００１５】
図１は、本発明の一実施形態に係る地上式二重殻ＬＮＧタンクを示す概念図である。地上式二重殻ＬＮＧタンク１は、内槽２と、外槽３と、二次バリア層４と、粉末保冷材５と、一次保冷材６と、二次保冷材７と、アンカー部９と、支持材１０とから構成される。内槽２には、ＬＮＧ８が収容される。
本発明は、本実施の形態の全体構造を明らかにすることによってより鮮明となるので、本実施の形態に係る地上式二重殻ＬＮＧタンク１の主だった部分から説明する。
【００１６】
本実施形態にかかる地上式二重殻ＬＮＧタンク１において、外槽３は、円形の平底を有する円筒形状である。外槽３の内壁には、間隙を介して、同じく円形の平底を有する円筒形の二次バリア層４が設けられている。二次バリア層４は、その側壁高さが外槽３の側壁高さよりも低く、外槽３の側壁内側にアンカー部９により取り付けられている。間隙は、外槽３底部と二次バリア層４底部との間、外槽３内側壁部と二次バリア層４の外側壁部との間に設けられる。そして、外槽３と二次バリア層４との間隙には二次保冷材７が充填されている。また、外槽３底部と二次バリア層４底部との間隙であって、内槽２の側壁の直下部に位置する箇所には、支持材１０が設けられている。支持材１０は、外槽の底面下の土中に設置される杭（図示せず）に荷重を伝えるようになっている。
【００１７】
二次バリア層４の底部には二次保冷材７が敷き詰められている。内槽２は、二次保冷材７を介して、二次バリア層４の内側に設置される。内槽２は、平底を有する円筒形の容器である。内槽２はその内部にＬＮＧを収容することができる。内槽２と二次バリア層４の間隙、および内槽２と外槽３との間隙には、粉末状保冷材５が充填される。
【００１８】
さらに、地上式二重殻ＬＮＧタンク１には、図示しない蓋と、ＬＮＧの搬出手段、搬入手段となる配管等が設けられ、ＬＮＧ８は内槽２内に密閉された状態で保持されている。
【００１９】
次に、地上式二重殻ＬＮＧタンク１を構成する各構成要素について説明する。
【００２０】
本実施形態に係る地上式二重殻ＬＮＧタンク１において、外槽３は、プレストレストコンクリート材から形成することができる。プレストレストコンクリート材は、あらかじめ鋼材で圧縮力を与えておき引張力に対する抵抗を高めたものであって、鉄筋コンクリート部材よりも、軽量化ができ、耐久性・水密性に優れた性能を有する。外槽３は、側壁高さが約４０ｍ〜５０ｍ、円形状の底の直径が約８０ｍ〜１００ｍとなるように設計することができる。しかし、外槽３の厚さやサイズは、ＬＮＧ収容量などにより変化するので、当業者であれば、所望のＬＮＧ収容量に適合するように外槽３のサイズを設計することができる。また、外槽３の内壁には、一般構造用鋼からなるモイスチャーバリア層（図示せず）を設けることができる。
【００２１】
二次バリア層４は、外槽３の内壁に設けられ、液密性を有するものである。二次バリア層４は、内槽２が破損して、ＬＮＧが漏出した場合の非常用バリアである。二次バリア層４は、樹脂系バリア材により構成することができる。樹脂系バリア材は、材料の一部に樹脂を用いたバリア材である。樹脂系バリア材としては、二次バリア層４の内壁面である、ＬＮＧ漏出の際にＬＮＧに接触しうる面として、ガラス繊維強化プラスチック材を適用したものが好ましい。
【００２２】
ガラス繊維強化プラスチック材２１は、−１６３℃でもクラックを生じにくく、液バリア機能を有する材料である。本実施形態におけるガラス繊維強化プラスチック材２１は、ＬＮＧ接触面に、ガラス繊維のステッチ材が設けられ、さらに延性と難燃性とを有する樹脂と、少なくとも収縮の等方性を有するガラス繊維クロスとが交互に複数層にわたって積層された積層体であることが好ましい。このような積層体は、真空含浸法で製造することができる。
【００２３】
上記ステッチ材は、ガラス繊維からなるものを用いることが好ましい。ステッチ材とは、複数の縦糸ガラス繊維の上に複数の横糸ガラス繊維を重ね、交差部を適当な接着手段によって留めた材料をいう。ステッチ材は、クロスのように繊維を織って形成されたものとは異なり、うねりがないことを特徴とする。収縮の等方性を有するガラス繊維クロスは、＃４００〜６００（４００〜６００ｇ／ｍ2）のガラス繊維の平織クロスであることが好ましい。かかるガラス繊維クロスは、比較的目が小さく、−１６３℃のＬＮＧと接触した場合にもひずみが生じにくい。上記ステッチ材、ガラス繊維クロスの両方について、ガラス繊維としては、一般的なＥガラス製でも良い。
【００２４】
上記延性と難燃性とを有する樹脂としては、好ましくは酸素指数が２６以上の難燃性と、−１６３℃におけるひずみが２％以上の延性とを有する難燃化ビニルエステル樹脂であるが、テフロン（登録商標）系の樹脂とすることもできる。かかる樹脂は、自己消火性を有し、−１６３℃においても延びやすくクラックが生じにくい。
【００２５】
なお、ガラス繊維強化プラスチック材のＬＮＧ接触面に上記ステッチ材が存在していれば、上記延性と難燃性とを有する樹脂と上記ガラス繊維クロス層との繰り返し積層回数は、必要なガラス繊維強化プラスチック材の厚さに応じて適宜決定することができる。このようにして得られたガラス繊維強化プラスチック材は、気泡が少なく繊維含有率が約５０％以上となっているので、液密性が高いものである。また、うねりの少ないステッチ材をＬＮＧ接触面に用いることで、延性と難燃性とを有する樹脂の割れを防止することができる。
【００２６】
本実施形態において、ＬＮＧ接触面に適用するガラス繊維強化プラスチック材２１は、成型され、完全に硬化されたパネルであってもよく、プリプレグシートであってもよい。プリプレグシートとする場合は、樹脂に、例えば、ＵＶ硬化剤を含んだ熱硬化性樹脂成分等を含有させ、目的箇所に貼り付けた後に完全に硬化させることができる。図３に示すようにガラス繊維強化プラスチック材２１のプリプレグシート２１ａは、パネル形状のガラス繊維強化プラスチック材接合部などに貼り付けた後で硬化させることにより、接合部を完全に覆うことができる点で特に有用である。
【００２７】
また別の態様によれば、本実施形態に用いるガラス繊維強化プラスチック材は、シート状の部材であって、少なくとも２層の上記ガラス繊維強化プラスチック材のシートで、接着性樹脂層を挟んだ、３層式のシート材であってよい。かかるシート材は、前述のガラス繊維のステッチ材と、延性と難燃性とを有する樹脂と、少なくとも収縮の等方性を有するガラス繊維クロスとを真空含浸法によりＮＳテープ（ノンサンディングテープ）上に積層して第一のガラス繊維強化プラスチック層を成形し、第一のガラス繊維強化プラスチック層のＮＳテープ側に、ガラス繊維強化プラスチック層が硬化する前に樹脂を吹きつけ、樹脂上部に、別途、予め成形・硬化させた第二のガラス繊維強化プラスチック層を貼り合わせることで製造することができる。上記接着性樹脂層は、低温延性に優れるビニルエステル樹脂で構成することが好ましい。
【００２８】
かかるガラス繊維強化プラスチックの３層式のシート材は、曲面などの自由な形状に成形することができ、接着施工が容易な点で特に有利である。さらに、第一のガラス繊維強化プラスチック層と第二のガラス繊維強化プラスチック層とが冷熱緩和材として上記接着性樹脂層を保護し、上記接着性樹脂層が冷熱衝撃によって発生するガラス繊維強化プラスチックのマイクロクラックの進展を阻止するので、液密性が保持される。また、ガラス繊維強化プラスチック層と上記接着性樹脂層との界面は、樹脂同士であるのでぬれ性がよく、界面剥離に強いという利点もある。
【００２９】
このようなガラス繊維強化プラスチック材は、樹脂系バリア材を構成する部材としてのみならず、単独で液密性を確保するためのバリア材用途に用いることもできる。具体的には、ＬＮＧタンクの内槽の接合箇所の被覆保護用等に用いることができる。
【００３０】
なお、本実施形態において、樹脂系バリア材を構成する部材として用いる場合、ガラス繊維強化プラスチック材２１は、層厚さが２ｍｍ〜１０ｍｍであることが好ましい。液バリア機能を確保するためである。
【００３１】
ここで、二次バリア層４の側板パネルを支持するアンカー部９、および二次バリア層の隅角部の構造について、図５、６を参照して説明する。
【００３２】
二次バリア層４は、図５に示すように、側板パネル５１の上端部を外槽３に設けた吊りアンカー５３で支持されている。側板パネル５１は、外槽３の側壁と同じく、円筒状をなしている。
吊りアンカー５３は、アンカー部９の主要部を構成し、外槽３の内壁に沿って周回し、側板パネル５１と一体になっている。また、吊りアンカー５３の右端は、外槽３の壁面に埋め込まれ、断面的には片持ち梁的に支持されている。
吊りアンカー５３は、図示のように、水平部５３ａと垂直部５３ｂとを備えている。そして、垂直部５３ｂの内周に沿って側板パネル５１の上端部５２が位置している。
吊りアンカー５３の形状としては、例えば、図示のように断面Ｔ字形のもののほか、断面Ｌ字型で水平部５３ａの肉厚を厚くしたものを採用することができる。
吊りアンカー５３は、９％Ｎｉ鋼で構成されている。強度および靭性の観点から係る材質で構成することが好ましい。なお、吊りアンカー５３の部分のみを９％Ｎｉ鋼で構成しても、全体としての大幅なコスト増とはならない。
吊りアンカー５３は、このような構成を有することによって、ＬＮＧ漏洩時における液密性を保つことができる。
【００３３】
側板パネル５１と吊りアンカー５３とは、接合部において、低温用接着剤の接着層５４を介して接着されている。低温用接着剤は、極低温下における熱応力作用時に接着部の破壊が樹脂系バリア材料の界面で生じない接着剤である。
低温用接着剤としては、特に限定されず、ウレタン系接着剤やエポキシ系接着剤等が挙げられ、なかでも、せん断力に強く液密性に優れるビニルエステル系接着剤が好適である。ビニルエステル系接着剤は、極低温下においても接着部の界面剥離を起こさず、低温延性が高い接着剤である。
ＬＮＧ漏洩時には、二次バリア層の円周方向の冷熱収縮が起こる。それによるせん断力に、低温用接着剤の接着層５４が対抗する。これにより、密着性が向上し、液密性の向上が図れる。
上記低温用接着剤に加え、冷熱収縮により吊りアンカー５３から剥離しようとする力に対抗するため、弾性接着剤を用いてもよい。上記弾性接着剤としては、シリコン系接着剤が好適である。
【００３４】
上記接着層５４は、二次バリア層の内側から挟扼用金属板５２を介してボルトにより挟扼されている。本発明において上記「挟扼する」とは、挟み抑え付ける、または、挟み締め付けるという意味である（特許技術用語集、日刊工業新聞社）。
上記挟扼用金属板５２を介して挟扼することにより、ボルト５５の接合力を面圧として均等に伝達することができ、接合部の剥離破壊を防止することができることに加え、上記低温用接着剤または上記弾性接着剤が硬化する前に接合部５４に圧力を保持しておくことができる。
【００３５】
上記挟扼用金属板５２は、図６に示すように帯状であって、少なくとも側板パネル５１の内周に相当する長さを有しており、側板パネル５１に密着している。
上記挟扼用金属板の材質としては、炭素鋼等の一般構造用鋼を用いることができるが、ステンレス鋼を用いてもよい。
上記挟扼用金属板の帯幅は、接合部分の剥離破壊を防止することができ、かつ接着層全体に均一な面圧を与えるのに充分な長さを有していればよいが、少なくともアンカー部と二次バリア層との接合部分の幅を有していることが好ましく、通常の地上式ＬＮＧタンクにおいては、０．１ｍ〜０．５ｍであることがより好ましい。
【００３６】
上記ボルト５５の材質としては、熱応力がかかる低温においても靭性が高いステンレスを用いることが好適である。特に、極低温においても靭性が低下しない点でＳＵＳ３０４がより好適である。
【００３７】
上記吊りアンカー５３の垂直部５３ｂ、接着層５４、および、側板バネル５１の上端面は、樹脂系２次バリアパネル端部からのＬＮＧ浸透を防止する観点で、それぞれシーリング５６により保護することが好ましい。
シーリングの材料としては、接着層５４に用いた低温用接着剤を用いることができる。
【００３８】
さらに、二次バリア層４は、図６に示すように、底板パネル６１と側板パネル６２とコーナーパネル６３とで構成される隅角部を備える。
上記隅角部において、上記コーナーパネルの下端下面と上記底板パネルの上面とが接着層６４を介して接合され、さらに上記コーナーパネルの上端外面と上記側板パネルの内面とが接着層６５を介して接合されている。そして、上記接着層は、上記コーナーパネルの下端上面および上記底板パネルの下面から上記挟扼用金属板６６を介してボルト６０により挟扼されており、また、上記コーナーパネルの上端内面および上記側板パネルの外面からも挟扼用金属板６６を介してボルト６０により挟扼されている。
【００３９】
上記隅角部に用いる挟扼用金属板としては、二次バリア層のアンカー部９に用いる挟扼用金属板と同じものを用いることができる。特に上記隅角部においてコーナーパネルは曲率をつけて設置されるので、挟扼用金属板を用いない場合、ボルト接合部近傍にしか締め付け力が伝わらず、圧力保持が充分でなくなる。
【００４０】
上記隅角部における側板パネルの下端円周部６７は、冷熱収縮によるひずみを考慮して、底板パネルの円周部６８と化学的に接着していない。すなわち、側板パネルと底板パネルとは、コーナーパネルを介して間接的に接合している。
上記隅角部における側板パネル、底板パネルおよびコーナーパネルによって仕切られる空間６９は、冷熱衝撃に対する自由な収縮変形を許容するように空洞であることが好ましい。
【００４１】
ここで、図１の構成に戻って、内槽２は、深さが約３０ｍ〜約４０ｍ、直径が約６０ｍ〜約１００ｍであり、約１０〜２０万ｋｌのＬＮＧを収容できることが好ましい。そして、ＬＮＧを−１６３℃の液状で保存しうる保冷機能と、ＬＮＧ及びガス化したＬＮＧを外部に漏らさないための液密性及び気密性、上記容量のＬＮＧの荷重に耐えられるだけの強度を備える。本実施形態においては、内槽２の材質としては、従来用いられている９％Ｎｉ鋼を用いることができるが、９％Ｎｉ鋼の代わりに一般構造用鋼を用い、ＬＮＧ接触面に上述したガラス繊維強化プラスチックを適用した樹脂鋼複合バリア材を用いてもよい。
【００４２】
本実施形態における有底円筒形状の内槽２が、上記樹脂鋼複合バリア材で構成されるとき、内槽２の底部、側壁部ともに、最外部に一般構造用鋼２６の層があり、一般構造用鋼２６の内壁にプライマー２５層が位置し、プライマー層２５の内壁にポリウレタンフォーム層２４が位置し、ポリウレタンフォーム層２４の内壁に樹脂層２３が位置し、樹脂層２３の内壁にフォームグラス２２が位置し、フォームグラス２２の内壁にガラス繊維強化プラスチック２１が位置する。そして、内槽２のＬＮＧ接触面は、ガラス繊維強化プラスチック２１で覆われた状態となっている。
【００４３】
内槽２の製造においては、最初に、一般構造用鋼２６で、内槽２の側壁および底部を溶接により製造する。一般構造用鋼は、溶接により容易に施工することができ、溶接施工によれば充分な液密性を確保することができる。この一般構造用鋼２６の側壁および底部の内側に、プライマー層２５、ポリウレタンフォーム層２４、樹脂層２３、フォームグラス２２層、ガラス繊維強化プラスチック層２１を順次形成することができる。
【００４４】
フォームグラス層２２は、第一の保冷層であって、ガラス繊維強化プラスチック材２１のＬＮＧ接触面と逆側に位置する。フォームグラスは、保冷性を有し、かつ、ＬＮＧ気化ガスの浸入による冷熱衝撃に耐えうる材料である。フォームグラス２２層は、２０〜６０ｃｍの厚さとすることが好ましい。保冷機能を確保するためである。なお、本実施形態では、ガラス繊維強化プラスチック材２１と接する第一の保冷層としてフォームグラスを用いたが、保冷機能及びＬＮＧの冷熱衝撃に耐えうる特性を有するほかの保冷材料を用いることもできる。
【００４５】
樹脂層２３は、フォームグラス層２２のガラス繊維強化プラスチック材と逆側に位置する。樹脂層２３は、フォームグラス層２２と、樹脂層２３の外側に設けられるポリウレタンフォーム２４層とを接着する機能と、ＬＮＧ気化ガスのポリウレタンフォーム層２４への浸入を防止するガスバリア機能を有する。樹脂としては、ビニルエステル樹脂を含んでなる接着剤を用いることが好ましい。あるいは、接着機能を有するビニルエステルシート材を、樹脂層とすることもできる。樹脂層２３の厚さは、１〜３ｍｍであることが好ましい。
【００４６】
ポリウレタンフォーム層２４は、第二の保冷層であって、保冷機能を有し、その外側に位置する一般構造用鋼２６を冷熱から保護するものである。ポリウレタンフォーム層２４の厚さは、一般構造用鋼２６を充分に保冷できる程度とすることが好ましく、例えば、２５ｃｍ〜４０ｃｍとすることができる。なお、本実施形態では、第二の保冷層としてポリウレタンフォーム層を用いたが、空気層を多量に含んだ層（発泡層など）を有し、低熱伝導率性で、安価なほかの材料を用いることもできる。第二の保冷層は、さらに、発泡させやすく、燃えても有害ガスが出てこないといった施工性が容易なものであることが好ましい。
【００４７】
プライマー層２５は、ポリウレタンフォーム層２４と、その外側に位置する一般構造用鋼とを接着する機能と、ガスバリア機能を有するものである。特に、プライマー材としては、保冷層であるポリウレタンフォーム２４層と、鋼材である一般構造用鋼２６とのせん断剥離を防止しうる、低温延性の大きいものを用いることが好ましい。具体的には、ビニルエステル系プライマーを使用することができる。プライマー層２５の厚さは、０．５ｍｍ〜３ｍｍ程度であってよく、通常、１ｍｍ〜３ｍｍ程度とすることができる。
【００４８】
一般構造用鋼２６は、内槽２に収容するＬＮＧの液圧を保持し、ガスバリア機能を有するものである。一般構造用鋼２６はコストの面から好ましく用いられるが、他の炭素鋼も使用可能である。一般構造用鋼２６の層厚さは、内槽２の側壁を構成する樹脂系バリア材においては、頂部が薄く、底部が厚くなるように勾配をもって形成されていることが好ましい。４０ｍ以上の深さになるように収容されるＬＮＧの液圧に適応するためである。具体的には、側壁の頂部の径方向厚さが１０ｍｍ〜２０ｍｍ程度であり、側壁の底部付近の径方向厚さが６０ｍｍ〜８０ｍｍ程度であることが好ましい。また、内槽２の底部を構成する一般構造用鋼２６は、厚さが５ｍｍ〜１０ｍｍ程度であることが好ましい。
【００４９】
プライマー層２５は、液状のプライマー材を一般構造用鋼２６に直接塗布することができる。ポリウレタンフォーム層２４は、その場で発泡させて、所望の厚さとすることができる。樹脂層２は、液状の樹脂接着剤をポリウレタンフォーム層２４表面に直接塗布することができる。あるいは、接着機能を有するビニルエステルシート材をポリウレタンフォーム層２４表面に張ることもできる。
【００５０】
ガラス繊維強化プラスチック材２１は、フォームグラス層２２の表面に、ガラス繊維強化プラスチック材のプリプレグシートまたはガラス繊維強化プラスチック材のパネルを張り付けることにより形成することができる。図３に、ガラス繊維強化プラスチック材２１のパネルを複数使用する場合の概略的な断面図を示す。このとき、複数のパネル材間の接合部を覆うように、ガラス繊維強化プラスチック材２１のプリプレグシート２１ａを張ることができる。プリプレグシート２１ａを、接合部を覆うように貼り付けることにより、接着面が強固となる。そして、接合部にＬＮＧが進入して、接合部からの液漏れが生じる現象を防ぐことができる。
【００５１】
内槽２が円形の平面底を有する円筒形状の場合、底部と側壁部とが交わる箇所に隅角が形成される。図４は、本実施形態によるＬＮＧタンク内槽２の隅角部の概略的な拡大断面図である。隅角部において、底部に貼り付けられたガラス繊維強化プラスチック材２１と側壁部に貼り付けられたガラス繊維強化プラスチック材２１とのあいだには接合部が生ずる。本実施形態においては、内槽２は、その隅角部の接合部を保護する隅角構造を備えている。
【００５２】
隅角構造において、隅角部のガラス繊維強化プラスチック材２１の接合部は、ポリウレタンフォーム層２７で覆われている。そして、ポリウレタンフォーム層２７の上から、ポリウレタンフォーム層２７、ポリウレタンフォーム層２７と底部に貼り付けられたガラス繊維強化プラスチック材２１との接合部、およびポリウレタンフォーム層２７と側壁に貼り付けられたガラス繊維強化プラスチック材２１との接合部を覆うように、ガラス繊維強化プラスチックのプリプレグシート２１ａが貼り付けられている。ポリウレタンフォーム層２７が被覆する面積は特に限定されないが、ＬＮＧの隅角部からの液漏れを防止することができる程度であれば良い。なお、ポリウレタンフォーム層２７は、他の同等の機能を有する保冷層で代替することもできる。
【００５３】
このように、内槽２が、隅角部の接合部をポリウレタンフォーム２７とガラス繊維強化プラスチックのプリプレグシート２１ａとで被覆された隅角構造を備えることで、最も液漏れの危険性が高い隅角部を補強することができる。
【００５４】
本実施形態における粉末保冷材５としては、断熱性を有し、二次バリア層４と内槽２との間隙に充填しやすい粉末状の保冷材であって、ＬＮＧと反応しないものを用いることができる。内槽２に収容されたＬＮＧ８を−１６３℃に保冷し、かつ、ＬＮＧが内槽２から漏出した場合に危険な反応が生ずるのを防ぐためである。具体的には、粉末保冷材５として、パーライトを用いることができる。
【００５５】
本実施形態における一次保冷材６は、内槽２底部と二次バリア層４底部の間隙に充填される。一次保冷材６としては、安価で堅固な保冷材を用いることが好ましい。内槽２底部から大きな面圧を受けるためである。具体的には、グラスウールを使用することができる。二次保冷材７としては、面圧保持機能を有するものを用いることが好ましい。内槽２底部から大きな面圧を受けるためである。具体的には、硬質ポリウレタンフォームを用いることができる。
【００５６】
本実施形態における支持材１０としては、保冷機能と内槽の外壁の荷重保持機能を有するものを用いることができる。特には、パーライトコンクリートが好ましい。
【００５７】
本実施の形態にかかる地上式二重殻ＬＮＧタンクは、上述のように、安価、軽量で、機能性に優れる樹脂系バリア材により二次バリア層が構成されているので、全体として充分な液密性および保冷性を備え、コスト的に有利なものとなっている。
なお、本実施形態においては、地上式の二重殻ＬＮＧタンクについて記載したが、本発明は、二重殻型のＬＮＧタンクに限定されるものではない。当業者であれば、必要に応じて、多重殻型のＬＮＧタンクを製造することができる。
【産業上の利用可能性】
【００５８】
本発明の活用例として、天然ガス液化基地におけるＬＮＧ製造と船積みまでの間、及びＬＮＧ受入基地における荷揚げから再ガス化・出荷までの間の調節・貯蔵の役割を果たす、地上式のＬＮＧタンクとして用いることができる。
【図面の簡単な説明】
【００５９】
【図１】本発明に係る地上式二重殻ＬＮＧタンクの断面を示す概略図である。
【図２】本発明に係る地上式二重殻ＬＮＧタンクの内槽材の断面を示す概略図である。
【図３】図３は、本発明に係る地上式二重殻ＬＮＧタンクの二次バリア層の樹脂バリア材を構成するガラス繊維強化プラスチックの適用の具体例を示す図である。
【図４】図４は、本発明に係る地上式二重殻ＬＮＧタンクの内槽の隅角部の構造を示す概略図である。
【図５】図５は、本発明に係る地上式二重殻ＬＮＧタンクのアンカー部の構造を示す断面図である。
【図６】図６は、本発明に係る地上式二重殻ＬＮＧタンクに採用される二次バリア層の、隅角部の構造を示す断面図および斜視図である。
【符号の説明】
【００６０】
１  地上式二重殻ＬＮＧタンク
１ａ  地上式二重殻ＬＮＧタンク
２  内槽
３  外槽
４  樹脂系二次バリア層
５  粉末保冷材
６  一次保冷材
７  二次保冷材
８  ＬＮＧ
９  アンカー部
２０  ＬＮＧ接触面
２１  ガラス繊維強化プラスチック層
２１ａ  ガラス繊維強化プラスチックプリプレグシート
２２  フォームグラス層
２３  樹脂層
２４  ポリウレタンフォーム層
２５  プライマー層
２６  一般構造用鋼
２７  ポリウレタンフォーム
５１  側板パネル
５２  挟扼用金属板
５３  吊りアンカー
５３ａ  水平部
５３ｂ  垂直部
５４  低温用接着剤の接着層
５６  シーリング
６０  ボルト
６１  底板パネル
６２  側板パネル
６３  コーナーパネル
６４、６５  低温用接着剤の接着層
６６  挟扼用金属板
６７  側板パネルの下端円周部
６８  底板パネルの円周部
６９  側板パネル、底板パネルおよびコーナーパネルによって仕切られる空間
【図１】
2007100772.tif 000003
【図２】
2007100772.tif 000004
【図３】
2007100772.tif 000005
【図４】
2007100772.tif 000006
【図５】
2007100772.tif 000007
【図６】
2007100772.tif 000008